(57)【要約】【課題】取り付けおよび取り外し作業が簡単であり、風に飛ばされたりすることなく、雨水の、鋼管柱の開口端面への付着および内部への浸入を、より完全に防止することができる、雨水浸入防止カバーを提供する。【解決手段】鋼管柱の一方の開口端に取り付けられる雨水浸入防止カバーであって、耐水性を有するシート状の材料からなり、鋼管柱の開口端面を覆う主面部と、主面部の周囲に連続して配され、鋼管柱の側面をそれぞれ覆う側面部とを有するシート本体、および、シート本体の前記側面部にそれぞれ取り付けられたマグネットシート、を備えることを特徴とする、雨水浸入防止カバー。【選択図】図３
2019105065.tif 000002
【特許請求の範囲】
【請求項１】
鋼管柱の一方の開口端に取り付けられる雨水浸入防止カバーであって、
耐水性を有するシート状の材料からなり、前記鋼管柱の開口端面を覆う主面部と、前記主面部の周囲に連続して配され、前記鋼管柱の側面をそれぞれ覆う側面部とを有するシート本体、および
前記シート本体の前記側面部にそれぞれ取り付けられたマグネットシート、
を備えることを特徴とする、雨水浸入防止カバー。
【請求項２】
前記側面部の少なくとも一方の端部には、前記シート本体を前記主面部と前記側面部との間の折り曲げ線で折り曲げて箱状としたときに、隣接する側面部同士を接合し固定するための、接合しろ、および接合手段が設けられている、請求項１に記載の雨水浸入防止カバー。
【請求項３】
前記鋼管柱の前記開口端面が、四角形である、請求項１または２に記載の雨水浸入防止カバー。
【請求項４】
前記鋼管柱の前記側面には付板が設けられており、
使用前に、前記シート本体の前記側面部の、前記付板に対応する部分にスリットを形成してから用いられる、請求項１〜３のいずれか１項に記載の雨水浸入防止カバー。
【請求項５】
前記側面部に、前記スリットを形成するための目盛りが設けられている、請求項４に記載の雨水浸入防止カバー。
【発明の詳細な説明】
【技術分野】
【０００１】
本発明は、建設現場において用いられる、鋼管柱内部への雨水の浸入を防止する雨水浸入防止カバーに関する。
【背景技術】
【０００２】
一般的に、家屋、工場、ビル等の建築物を建設する場合には、その建築物の地盤に強固な基礎を構築し、その基礎の上に所定の建築物が建設される。このような建築物の柱には、横断面が角形の鋼管（鋼管柱）が使用されるが、必要な鋼管柱の長さは、建物の規模（高さ）により異なるため、鋼管柱の上に次の鋼管柱を載せて、互いの端部同士を接合して継ぎ足す作業が行われる。これらの鋼管柱を接合するには、溶接が一般的である。
【０００３】
このような鋼管柱は、工場で完成してから出荷時まで、トラックによる運搬時、および工事現場に搬入されてから設置されるまでの間は、屋外に置かれ保管される。
溶接部分である鋼管柱の開口端面に雨水が附着すると、その部分から腐食して凹凸が生じ、接合部に所定の強度を付与することができなくなり溶接不良の原因となる可能性がある。
【０００４】
また、建設現場も、通常、屋外であるから、溶接作業も屋根が無い状態で行われている。溶接作業を行う際、あるいは溶接接合部が完全に固まるまでの間に、溶接作業の円滑および溶接接合部の品質を維持するために、溶接接合部を養生する必要がある（例えば特許文献１参照）。
作業時および養生時に、鋼管柱の上端部が覆われず解放された状態であると、鋼管柱の開口端部から雨が管内部に吹き込む場合がある。管内部に水が溜まったまま工事を行うと、その部分から腐食して強度が低下する可能性がある。
【０００５】
特に、鋼管柱を用いて建設される建物がコンクリート充填鋼管柱（ＣＦＴ；  Ｃｏｎｃｒｅｔｅ  Ｆｉｌｌｅｄ  Ｓｔｅｅｌ  Ｔｕｂｅ）構造による場合、コンクリートを充填するために、接合された鋼管柱の内部は上下まで孔が貫通しており、最上部から侵入した雨水は最下部まで到達する。
一方、建物がＳ造（鉄骨）造の場合、鉄骨梁が接合される部分では、鋼管柱の孔が閉じられており、その部分に雨水が溜まってしまう。
【０００６】
鋼管柱が未だ接合されていない状態であれば、鋼管柱を傾けることにより、内部に入り込んだ水を排出することができるが、溶接により設置された鋼管柱内部の水を排出させることは、例えば特殊な装置が必要となり、大きな手間がかかり、作業進行を遅らせる原因ともなる。
【０００７】
このような雨水の浸入を防止するために、従来においては、たとえば、鋼管柱の上端にシートを巻き付け、このシートを番線やテープで鉢巻き状に固定するものがあった。
【先行技術文献】
【特許文献】
【０００８】
【特許文献１】特開２０００−２０４５４６号公報
【発明の概要】
【発明が解決しようとする課題】
【０００９】
しかし、鋼管柱にシートを巻き付けてテープ等で固定する場合、手間がかかる上に、鋼管柱とシートとの間から雨水が浸入したり、強風により飛ばされたりと、完全に雨水の浸入を防止することは困難であった。
また、テープでシートを固定する場合、シートを取り外すためにテープを剥がすときに、鋼管柱表面に施された塗装も一緒に剥がれてしまい、これも腐食および溶接不良の原因となる可能性がある。
【００１０】
本発明は、このような従来の実情に鑑みて提案されたものであり、本発明の目的は、取り付けおよび取り外し作業が簡単であり、風に飛ばされたりすることなく、雨水の、鋼管柱の開口端面への付着および内部への浸入を、より完全に防止することができる、雨水浸入防止カバーを提供することにある。
【課題を解決するための手段】
【００１１】
［１］
鋼管柱の一方の開口端に取り付けられる雨水浸入防止カバーであって、
耐水性を有するシート状の材料からなり、前記鋼管柱の開口端面を覆う主面部と、前記主面部の周囲に連続して配され、前記鋼管柱の側面をそれぞれ覆う側面部とを有するシート本体、および
前記シート本体の前記側面部にそれぞれ取り付けられたマグネットシート、
を備えることを特徴とする、雨水浸入防止カバー。
［２］
前記側面部の少なくとも一方の端部には、前記シート本体を前記主面部と前記側面部との間の折り曲げ線で折り曲げて箱状としたときに、隣接する側面部同士を接合し固定するための、接合しろ、および接合手段が設けられている、［１］に記載の雨水浸入防止カバー。
［３］
前記鋼管柱の前記開口端面が、四角形である、［１］または［２］に記載の雨水浸入防止カバー。
［４］
前記鋼管柱の前記側面には付板が設けられており、
使用前に、前記シート本体の前記側面部の、前記付板に対応する部分にスリットを形成してから用いられる、［１］〜［３］のいずれかに記載の雨水浸入防止カバー。
［５］
前記側面部に、前記スリットを形成するための目盛りが設けられている、［４］に記載の雨水浸入防止カバー。
【発明の効果】
【００１２】
本発明によれば、取り付けおよび取り外し作業が簡単であり、風に飛ばされたりすることなく、雨水の、鋼管柱の開口端面への付着および内部への浸入を、より完全に防止することができる、雨水浸入防止カバーを提供することができる。
【図面の簡単な説明】
【００１３】
【図１】本発明の雨水浸入防止カバーの一実施形態を示す平面図である。
【図２】本発明の雨水浸入防止カバーが取り付けられる鋼管柱の一例を示す斜視図である。
【図３】図１に示す雨水浸入防止カバーにスリットを形成した状態を示す平面図である。
【図４】図３に示す雨水浸入防止カバー１を折り曲げ線で折り曲げた状態を示す斜視図である。
【図５】図３に示す雨水浸入防止カバーを鋼管柱の一端部に取り付けた状態を示す斜視図である。
【発明を実施するための形態】
【００１４】
以下、本発明の実施の形態について、図面を参照しながら説明する。
図１は、本発明の雨水浸入防止カバーの一実施形態を示す平面図である。図では、本発明の雨水浸入防止カバーを展開させた状態を示している。
【００１５】
本発明の雨水浸入防止カバー１は、鋼管柱３０の一方の開口端に取り付けられる雨水浸入防止カバーであって、耐水性を有するシート状の材料からなり、鋼管柱３０の開口端面３１を覆う主面部１１と、主面部１１の周囲に連続して配され、鋼管柱３０の側面３２をそれぞれ覆う側面部１２とを有するシート本体１０、および、シート本体１０の前記側面部１２にそれぞれ取り付けられたマグネットシート１４を備える、ことを特徴とする。
【００１６】
鋼管柱３０の一方の開口端を、耐水性を有するシート状の材料からなる雨水浸入防止カバー１で覆うことにより、保管時、運搬時、作業時および養生時等において、雨水の鋼管柱３０の開口端面３１への付着、および内部への浸入が防止される。その結果、鋼管柱３０の腐食を防止し、十分な強度で溶接することができる。
また本発明のカバーは、テープではなく磁石（マグネットシート１４）で鋼管柱３０に取り付けるため、取り付け、取り外しが容易であり、現場での作業性が向上する。特に、テープで取り付けた場合のように、取り外す際の塗装の剥がれなどの問題もない。
【００１７】
図２は、本発明の雨水浸入防止カバー１が取り付けられる鋼管柱３０の一例を示す斜視図である。
本発明のカバーが配される鋼管柱３０は、筒形の鋼製の長尺材である。その断面形状は、長方形、正方形等の角型、多角形等、特に限定されず、一般的に建設現場において用いられている鋼管柱３０に適用可能である。図では、断面が正方形状の鋼管柱３０を示している。
鋼管柱３０には、外径が例えば３５０ｍｍ〜１０００ｍｍで様々な規格のものがあり、同一の断面形状を有する２本の鋼管柱３０を上下に配し、長手方向に接合される。建設現場においては、外径が５００ｍｍ〜９００ｍｍのものが多く用いられる。
ここで、同一の断面形状の鋼管柱３０とは、形状・寸法ともに寸分違わぬ鋼管柱３０を示すものではなく、同じ規格でほぼ同一形状に形成された鋼管柱３０を示し、加工等による歪みや誤差による差異は厭わない。
【００１８】
鋼管柱３０同士は、溶接により接合されることが一般的である。溶接作業の際には、接合する鋼管柱３０の転倒防止や溶接箇所の突き合わせ状態を維持するために、接合される２本の鋼管柱３０は仮固定される。鋼管柱３０には、端部近傍の各外側面３２に、仮固定のための付板３３がそれぞれ設けられている。この付板３３は、鋼管柱３０本体の外側面３２と直交する方向に突出するとともにその軸方向に沿わせて設けられている。これらの付板３３は、２本の鋼管柱３０の接合される端部同士が突き合わされた状態で、各付板３３の一端部同士が間隔を隔てて対向するように一直線状に配置される。
【００１９】
本実施形態の雨水浸入防止カバー１において、シート本体１０は、耐水性を有するシート状の材料からなり、鋼管柱３０の開口端面３１を覆う主面部１１と、主面部１１に連続して配され、鋼管柱３０の側面３２を覆う１つまたは複数の側面部１２とを有する、シート本体１０の１つまたは複数の側面部１２には、マグネットシート１４がそれぞれ取り付けられている。
この雨水浸入防止カバー１は、主面部１１と側面部１２との間の折り曲げ線１３で折り曲げられて、側面部１２を主面部１１に対して立たせることにより箱状に組み立てられる。
【００２０】
主面部１１は、カバーされる鋼管柱３０の断面（開口端面）の形状および大きさに合わせた形状、大きさとされており、正方形、長方形、その他多角形とすることができる。主面部１１は、その角部が隅切りされて多角形、あるいはＲ形状とされていてもよい。図に示す例では、例えば１辺か６００ｍｍの略正方形である。
【００２１】
側面部１２は、鋼管柱３０の側面３２の数（主面部１１の辺の数）に合わせて設けられており、主面部１１の周囲に連続して一体的に配されている。
側面部１２は、長方形状を有しており、鋼管柱３０の側面部１２を覆うとともに、シート本体１０を、該側面部１２に配されたマグネットシート１４によって鋼管柱３０に固定する。
側面部１２の長さ（高さ）は特に限定されるものではなく、鋼管柱３０にシートを確実に固定することができ、雨水の浸入を防止することができれば、特に限定されるものではないが、長すぎても、コスト的に不利になってしまうことから、２００ｍｍ以上、５００ｍｍ以下とすることが好ましい。例えば図に示す例では、２３５ｍｍである。
【００２２】
側面部１２の端部には、折り曲げて箱状としたときに、隣接する側面部１２同士を接合し固定するための、接合しろ１５、および接合手段１６が設けられていることが好ましい。接合手段１６としては特に限定されるものではないが、面ファスナー、マグネットシート等が挙げられる。コスト等の観点から、マグネットシートが好ましい。
接合しろ１５、および接合手段１６があることで、側面部１２同士を重ね合わせて隙間なく接合することができ、隙間からの雨水の浸入をより確実に防止することができる。
【００２３】
上述したように、鋼管柱３０の開口端近傍には付板３３が形成されている場合があり、側面３２を覆う際に、この付板３３の部分が障害になり、鋼管柱３０の側面３２、付板３３とシートとの間に隙間ができて、そこから雨水が浸入する可能性もある。そこで、図３に示すように、使用前に、シートの側面部１２にスリット１７を形成して、鋼管柱３０の付板３３の部分に嵌め込む。これにより、鋼管柱３０とシートとを隙間なく密着させることができ、雨水の浸入をより確実に防止することができる。
【００２４】
鋼管柱３０の規格・仕様によって、付板３３の位置、厚み、大きさ等が異なるため、使用前に、付板３３の位置、厚み、大きさに合わせて、シート本体１０の側面部１２に、はさみ、カッター等を用いて切り込むことによりスリット１７を形成する。
【００２５】
このとき、シート本体１０の側面部１２に目盛り（図示略）が形成されていることが好ましい。シート本体１０の側面部１２に目盛りが形成されていることにより、スリット１７を形成する位置を定規等で図って位置付けする必要がなく、作業を効率化することができる。また、目盛りに沿って切り込むことにより、位置ずれしたり曲がったりすることなくスリット１７を形成することができる。
目盛りとしては特に限定されるものではないが、例えば、５ｍｍあるいは１ｃｍの方眼が挙げられる。
上記スリット１７は、鋼管柱３０の規格・仕様に合わせて、予め設けられているものであってもよい。
【００２６】
側面部１２には、また、シートを鋼管柱３０に取り付け固定するためのマグネットシート１４が設けられている。マグネットシート１４は側面部１２の端縁部に設けられていることが好ましい。
マグネットシート１４としては、シートが強風でも飛ばされない程度に、鋼管柱３０の側面３２に強固に固定できるものであれば、特に限定されるものではない。
マグネットシート１４の形態としても特に限定されないが、上述したようにスリット１７を形成する際に、はさみ、カッター等で切断できるような薄型のものであることが好ましい。マグネットシート１４は、側面部１２の端縁部全体に亘って配されていることが好ましい。これにより、側面部１２の端縁部全体を鋼管柱３０の側面３２に隙間なく密着して取り付けることができ、雨水の浸入をより確実に防止することができる。
【００２７】
シート本体１０は、板状、フィルム状、シート状の薄型部材からなる。シート本体１０の材質としては、耐水性を有するものであれば特に限定されない。折り曲げやすく強い（破れにくい）材料であることが好ましい。このようなシート本体１０の材料としては、耐水加工処理が施された加工紙、各種ビニル系材料、各種プラスチック系材料等が挙げられる。不透明のものでもよいが、内部状態を確認できるように透明または半透明の物であってもよい。また、視認性を高めるために適宜着色されていることが好ましい。
【００２８】
本発明の雨水浸入防止カバー１が取り付けられた鋼管柱３０は、屋外に保管され、直射日光にさらされることから、雨水浸入防止カバー１は、紫外線による劣化を防ぐために所定の紫外線劣化防止の処理が施されていることが好ましい。
さらに、溶接現場において飛んできた火の粉が付着して溶けたり穴が開いたりすることを防止するために、雨水浸入防止カバー１は、防炎加工が施されていることが好ましい。
【００２９】
雨水浸入防止カバー１は、鋼管柱３０が製造されてから保管、運搬、設置までの、通常数か月程度の間、鋼管柱３０内への雨水の浸入を防げればよいが、保管時の風雨や、運搬、設置時に他の部材と接触することによる破れを防ぐために、シート本体１０は、ある程度の強度を有していることが好ましい。一方で、シート本体１０は、鋼管柱３０に隙間なく取り付けるために、ある程度の可撓性を有していることが好ましい。
【００３０】
シート本体１０が薄すぎると、却って取扱い性が悪くなったり、保管時の風雨や、運搬、設置時に他の部材と接触することにより破れ、本発明の効果を十分に得られない可能性もある。一方で、厚すぎても折り曲げにくく作業性や被覆性が悪くなったり、コストが高くなる、等の問題から、シート本体１０の厚さは、材料にもよるが、例えば０．１ｍｍ以上、５．０ｍｍ以下程度とすることが好ましく、０．３ｍｍ以上、２．０ｍｍ以下がより好ましい。
【００３１】
なお、本実施形態の雨水浸入防止カバー１は、繰り返し使用は想定しておらず、基本的には使い捨て（ディスポーザブル）である。
【００３２】
図４は、本実施形態の雨水浸入防止カバー１を折り曲げ線で折り曲げた状態を示す斜視図であり、図５は、雨水浸入防止カバー１を鋼管柱３０の開口端部に取り付けた状態を示す斜視図である。
雨水浸入防止カバー１を鋼管柱３０に取り付けるには、まず、主面部１１で、鋼管柱３０の一方の開口端面３１を覆うとともに、折り目部分で側面部１２をそれぞれ折り込んで箱型とする。そして、側面部１２同士を接合手段１６（マグネットシート）で接合するとともに、側面部１２に配されたマグネットシート１４によって、鋼管柱３０の側面３２に固定する。
紐やテープを巻いて固定する方法に比べて、マグネットシート１４で貼り付けるだけなので、簡単に被覆および固定することができる。また鋼管柱３０から雨水浸入防止カバー１を取り外す際も、マグネットシート１４を剥がせはよいだけなので、作業性を向上することができる。またテープを剥がす場合のように塗装も一緒に剥がれてしまうようなこともない。
【００３３】
雨水浸入防止カバー１で覆われていない他方の開口端から雨水が浸入しても、施工（設置）前においては、鋼管柱３０を傾けて、中にたまった雨水を排出すればよいため、本実施形態の雨水浸入防止カバー１を配するのは、鋼管柱３０の一方の開口端だけで構わない。工事現場においては、雨水浸入防止カバー１で覆われている側を上側にして設置する。
【００３４】
溶接作業時、および、溶接接合部が完全に固まるまで、溶接接合部の養生時においても、上側の鋼管柱３０の上端が雨水浸入防止カバー１で覆われているので、管内部に雨水が浸入することが防止される。溶接接合部が完全に固まり、さらに上に別の鋼管柱３０を配するときに、雨水浸入防止カバー１を取り外す。別の鋼管柱３０の上端に雨水浸入防止カバー１が取り付けられているので、設置作業時の鋼管柱３０内部への雨水の浸入は防止される。
【００３５】
本発明のカバー対象となる鋼管柱を用いて建設される建物は、コンクリート充填鋼管柱（ＣＦＴ）構造によるものであってもよいし、Ｓ造（鉄骨）造であってもよい。現場での作業性を向上することができる。
【００３６】
以上、本発明の実施の形態について説明してきたが、本発明はこれに限定されるものではなく、発明の趣旨を逸脱しない範囲で適宜変更可能である。
例えば、上述した実施形態では、カバーされる鋼管の断面形状が四角形の場合を例に挙げて説明したが、本発明はこれに限定されるものではなく、例えば鋼管の断面形状がが、三角形、または五角形以上の多角形、あるいは円形の場合にも適用可能である。その場合には、シート本体の主面部の形状を多角形または円形とすればよい。
【産業上の利用可能性】
【００３７】
本発明による雨水浸入防止カバーを用いることで、取り付けおよび取り外しが容易であるとともに、鋼管柱内部への雨水の浸入がより確実に防止されたものとなり、工事現場における鋼管柱のカバーとして広く利用することができる。
【符号の説明】
【００３８】
１    雨水浸入防止カバー
１１    主面部
１２    側面部
１０    シート本体
１３    折り曲げ線
１４    磁石
１５    接合しろ
１６    接合手段
１７    スリット
３０    鋼管柱
３１    開口端面
３２    側面
３３    付板
【図１】
2019105065.tif 000003
【図２】
2019105065.tif 000004
【図３】
2019105065.tif 000005
【図４】
2019105065.tif 000006
【図５】
2019105065.tif 000007